(57)【特許請求の範囲】
【請求項１】
被検知ガスの濃度に応じた出力値を出力する検知部が接続されて、前記出力値に応じた濃度情報をバーグラフとして表示可能である指示計であって、
ネームプレートとしての表示板と、前記バーグラフの目盛としてのスケール板と、を取り外し可能に備えると共に、前記スケール板を前記表示板の前方に配置し、押え部が前記表示板と前記スケール板との上端部と、前記スケール板の前面とを押さえ込むことにより、前記表示板及び前記スケール板を固定可能な留め具を備えた指示計。
【請求項２】
前記留め具が有する爪部を差し込み可能な孔部を備え、
前記爪部は差し込み操作によって前記孔部に係止すると共に、引き抜き操作によって前記係止が外れる請求項１に記載の指示計。
【発明の詳細な説明】
【技術分野】
【０００１】
本発明は、被検知ガスの濃度に応じた出力値を出力する検知部が接続されて、出力値に応じた濃度情報をバーグラフとして表示可能である指示計に関する。
【背景技術】
【０００２】
従来から、ネームプレートとしての表示板と、バーグラフの目盛としてのスケール板と、を取り外し可能に備えた指示計があった。
【０００３】
この構成によると、検知部の検知対象域が変わっても、ネームプレートを差し替えることにより、指示計の転用が可能であり、また、被検知ガスの種類が変わって、指示計の表示単位が変わっても、スケール板を差し替えることにより、指示計の転用が可能であった。
【発明の開示】
【発明が解決しようとする課題】
【０００４】
しかし、従来の指示計では、例えば、表示板は指示計に対して上方から下方に差し込み式に取り付ける構成であり、横向けにされた状態で指示計が出荷されると、搬送時に運搬車の揺れによって表示板が抜け落ちることがあった。また、スケール板については、指示計の前面のパネルに対して裏側からはめ込んで、前面のパネルで裏側から押え込む構成等が多かったため、スケール板の取り替え作業が面倒であった。
【０００５】
上記実情を鑑み、本発明は、表示板及びスケール板の取り替えが容易であり、その固定が確実な指示計を提供することを目的とする。
【課題を解決するための手段】
【０００６】
本発明に係る指示計の第一特徴構成は、被検知ガスの濃度に応じた出力値を出力する検知部が接続されて、前記出力値に応じた濃度情報をバーグラフとして表示可能である指示計であって、ネームプレートとしての表示板と、前記バーグラフの目盛としてのスケール板と、を取り外し可能に備えると共に、前記スケール板を前記表示板の前方に配置し、押え部が前記表示板と前記スケール板との上端部と、前記スケール板の前面とを押さえ込むことにより、前記表示板及び前記スケール板を固定可能な留め具を備えた点にある。
【０００７】
本構成であると、表示板とスケール板とは、本体部に対して留め具で固定するものであるから、取り外しが容易であって、表示板とスケール板との交換作業を迅速に行うことができる。
【０００８】
本発明に係る指示計の第二特徴構成は、前記留め具が有する爪部を差し込み可能な孔部を備え、前記爪部は差し込み操作によって前記孔部に係止すると共に、引き抜き操作によって前記係止が外れる点にある。
【０００９】
本構成によると、留め具は、抜き差し操作によって孔部に係止及び係止解除されるため、本体部への付け外しが単純な動作で行える。したがって、表示板とスケール板との交換作業を迅速に行うことができる。
【図面の簡単な説明】
【００１０】
【図１】は、本発明に係るガス検知システムの概要を示す模式図である。
【図２】は、本発明に係るガス検知システムを示すブロック図である。
【図３】のうち、（ａ）は指示計の正面側の全体斜視図であり、（ｂ）はフロントカバーを開いたときの前面パネル下部付近の斜視図である。
【図４】のうち、（ａ）は指示計の背面側の全体斜視図であり、（ｂ）はサイドカバーを外したときの本体部下部付近の斜視図である。
【図５】は、指示計の底面側の斜視図である。
【図６】は、指示計の正面図であって、（ａ）は検知モードのうち濃度情報が第一しきい値よりも小さいときの図であり、（ｂ）は検知モードのうち濃度情報が第一しきい値以上かつ第二しきい値よりも小さいときの図であり、（ｃ）は検知モードのうち濃度情報が第二しきい値よりも大きいときの図であり、（ｄ）は設定モードのときの図である。
【図７】は、表示板及びスケール板の固定方法を示す前面パネルの斜視図である。
【図８】のうち、（ａ）は前面パネルの前後方向の縦断断面図であって、（ｂ）は留め具及び前面パネル上部の左右方向の横断断面図である。
【図９】は、本体部をケース部に固定したときの指示計の前後方向の縦断断面図である。
【図１０】は、本体部をケース部から抜き出したときの指示計の前後方向の縦断断面図である。
【図１１】は、設定作業に際して本体部をケース部から抜き出すときの本体部とケース部との関係を示す模式断面図であって、（ａ）は本体部をケース部に完全に収容したときの図であり、（ｂ）は下側当接部が開口部の下端部に当接したときの図であり、（ｃ）は本体部が当接箇所Ｐを中心に傾いたときの図である。
【図１２】は、本体部をケース部から完全に抜き出すときの本体部とケース部との関係を示す模式断面図であって、（ｄ）は本体部を少し持ち上げたときの図であり、（ｅ）本体部を当接箇所Ｑ回りに回転させたときの図であり、（ｆ）は本体部を完全に抜き出したときの図である。
【発明を実施するための形態】
【００１１】
以下に、本発明を、被検知ガスの濃度を検出するガス検知システム及び当該ガス検知システムを構成する指示計に適用した実施形態を図面に基づいて説明する。
【００１２】
１．ガス検知システム
ガス検知システムは、例えば、複数箇所においてガス濃度を検知する必要がある施設、例えば、化学物質製造工場や半導体製造工場等に設置される。図１に示すごとく、ガス検知システム１は、各検知対象区域（Ａｒｅａ１〜Ａｒｅａ５）に夫々配置された検知部２と、夫々の検知部２が個別に接続され、各検知対象区域における被検知ガスの濃度情報（ガス濃度）を表示する複数の指示計３と、何れかの検知対象区域でガス濃度がしきい値を越えたときに警報を発する一つの警報部４と、全ての指示計３からの濃度情報を総括して監視する監視部６と、を備えている。指示計３及び警報部４は一台の総合盤５に集設されており、総合盤５及び監視部６は事務所などの常に人の目が行き届く場所に設置されている。
【００１３】
〔検知部〕
検知部２は、被検知ガスの種類に応じたガス検知素子を備えている。ガス検知素子は被検知ガスを検知し、その濃度に応じた出力値を指示計３に出力する。ガス検知素子としては、例えば、被検知ガスがメタンガスやＬＰＧ（液化石油ガス）のときは、熱線型半導体式センサや接触燃焼式センサを使用し、被検知ガスが水素ガスやヘリウムガスや二酸化炭素ガスのときは気体熱伝導式センサを使用する。全ての検知対象区域で被検知ガスが同じガスであるとは限られず、被検知ガスが異なる場合は、必要に応じて異なるガス検知素子を配設すれば良い。
【００１４】
〔指示計〕
指示計３は、検知部２が出力した出力値を取得して、その出力値を濃度情報に変換し、その濃度情報（表示対象値）を表示する。即ち、指示計３は、検知対象区域における被検知ガスの濃度情報をリアルタイムに表示する。濃度情報の表示単位は、特定のものでなくても良く、ｐｐｍ表示、％ＬＥＬ表示等のように、ガス種やガス検知素子の検知方式によって適宜変更可能である。また、指示計３は検知部２に電源を供給すると共に、警報部４を経由して監視部６に濃度情報等の信号を出力する。なお、指示計３の詳細については後述する。
【００１５】
〔警報部〕
警報部４は、指示計３に接続され、指示計３における濃度情報がしきい値を超えたときに不図示のスピーカーから警報音を発する。
【００１６】
〔監視部〕
監視部６は、例えば、パソコン等の電子計算機であって、警報部４に接続され、警報部４から被検知ガスの濃度情報を取得する。監視部６は、検知対象区域毎のガス濃度情報の履歴やシステムの故障等を監視し、管理する。
【００１７】
２. 指示計の概要
指示計３の構成概念を示すブロック図を図２に示す。指示計３は、制御演算部１０と、記憶部１１と、入力部１２と、メンテナンスモード切替部１３と、テスト部１４と、設定モード切替部１５と、補助操作部１６と、バーグラフ表示部１７と、計器状態表示部１８と、を備えている。
【００１８】
指示計３は、通常の検知モードと、メンテナンス第一モードと、メンテナンス第二モードと、設定モードと、にモード切替可能である。メンテナンスモード切替部１３の操作によって、検知モードとメンテナンス第一モードとメンテナンス第二モードとの切り替えが可能である。設定モード切替部１５の操作によって、検知モードと設定モードとの切り替えが可能である。具体的には、後述するメンテナンススイッチＭＳＷ（図３（ｂ）参照）がメンテナンスモード切替部１３に相当し、後述する設定スイッチＣＳＷ（図５及び図９参照）が設定モード切替部１５に相当する。
【００１９】
〔制御演算部〕
制御演算部１０は、検知部２からの出力値を濃度情報に変換したり、バーグラフ表示部１７に濃度情報を表示させたり、計器状態表示部１８に現在の計器状態や設定モードにおける設定項目の種別を表示させたりする。計器状態とは、現在何れのモードであるかという情報、故障が発生しているという情報、各種警報を発すべき状態にあるという情報等のことである。
【００２０】
〔記憶部〕
記憶部１１は、検知部２からの出力値を濃度情報に変換するための変換式や、指示計３の計器設定情報等を記憶している。計器設定情報は、例えば、メンテナンス時に使用する管理用の計器番号や、検知部２の種類や、警報部４が警報を発するしきい値等を示す。
【００２１】
記憶部１１に記憶された変換式や計器設定情報は、入力部１２の手動操作によって書換可能である。なお、具体的には、後述する設定スイッチＣＳＷ（図５及び図９参照）が入力部１２に相当する。
【００２２】
〔検知モード〕
検知モードは、検知対象区域のガス濃度情報をバーグラフ表示部１７にリアルタイムに表示するモードである。検知モードにおいて、制御演算部１０は、検知部２からの出力値を取得し、記憶部１１に記憶された変換式に基づいて出力値を濃度情報に変換して、濃度情報に基づいてバーグラフ表示部１７を制御する。また、制御演算部１０は、濃度情報を警報部４を介して監視部６に常時出力すると共に、ガス濃度がしきい値を超えたときは、その情報（以下、「警報情報」と称する）を警報部４に出力する。警報部４は、警報情報を取得すると警報音を発する。警報音は、警報部４において所定の消音操作がなされると、消音される。
【００２３】
本実施形態においては、第一段目の警報を発する第一しきい値と、第二段目の警報を発する第二しきい値との二つのしきい値を記憶部１１に記憶させてある。例えば、一段目警報は、危険度は低いが注意を要するガス濃度となったことを示し、二段目警報は、危険度が高く、避難を要するガス濃度となったことを報知するものとして設定してある。
【００２４】
また、検知モードでは、制御演算部１０は、検知部２及び指示計３の各部の故障や、検知部２と指示計３との電気的接続状態についても監視している。故障等が発生した場合、制御演算部１０は、故障が発生したという信号（以下、「故障情報」と称する）を、警報部４を介して監視部６に出力すると共に、計器状態表示部１８にそれらの表示を行う。
【００２５】
〔メンテナンス第一モード〕
メンテナンス第一モードは、定期的なメンテナンス等に使用するモードであって、ガス濃度がしきい値を越えても、制御演算部１０が警報部４に警報情報を出力しないモードである。即ち、メンテナンス第一モードにおいては、検知対象区域におけるガス濃度に拘らず警報音が発せられない。したがって、メンテナンス第一モードであれば、例えば、検知部２の出力値の変化に対応してバーグラフ表示部１７が正常に反応するか否かや、同様に監視部６が正常に反応するか否かを確認するべく、しきい値を超える濃度の被検知ガスを検知部２に吹き掛けても、警報部４から警報音が発せられないため、工場作業者の作業に影響を与えない。よって、工場稼動中においても円滑なメンテナンス作業を行うことができる。
【００２６】
加えて、メンテナンス第一モードであれば、さらにスパン調整用のワンマンメンテナンスモードにモード変更して、スパン調整等の専門の作業員が行うメンテナンス作業も行うことができる。メンテナンス第一モードにおいてワンマンメンテナンスモードに入り、被検知ガスのガス濃度に対応する出力値を設定する。その後、検知部２に実際に被検知ガスを暴露させ、後述する設定スイッチＣＳＷを操作すると、設定した出力値と実測値との関係から自動で内部係数が補正され、簡単にスパン調整を行うことができる。本構成によれば、警報音が発せられないため、工場稼働中においても作業に影響を与えず、かつ一人の作業員でも簡単にメンテナンスを行うことができる。
【００２７】
なお、制御演算部１０は、メンテナンス第一モードであることを計器状態表示部１８に表示する。
【００２８】
〔メンテナンス第二モード〕
メンテナンス第二モードは、ガス検知システム１を導入する初期工事等に使用するモードである。他のモードでは、検知部２が指示計３に接続されていないと、制御演算部１０は、警報部４を経由して監視部６に異常信号を出力するが、メンテナンス第二モードにおいては、検知部２が指示計３に接続されていなくても、制御演算部１０は、異常信号を監視部６に出力しない。即ち、この異常信号を出力しないという点で、他のモードと区別して、メンテナンス第二モードは「特定モード」であると言える。さらに、メンテナンス第二モードのとき、制御演算部１０は、所定値の仮想濃度情報を、警報部４を介して監視部６に出力する。
【００２９】
例えば、新築の工場にガス検知システム１を導入する場合、総合盤５及び監視部６は、工場の生産ラインを構成する機器等が設置される前に配設可能であるが、検知部２は、各機器の位置に対応して配設しなければならないため、各機器が設置されない限りは配設できない。即ち、ガス検知システム１を導入する場合は、総合盤５及び監視部６を先行して配設し、最後に検知部２を配設して、検知部２と指示計３を接続する場合がある。
【００３０】
メンテナンス第二モードであれば、総合盤５及び監視部６だけを配設し、検知部２を未だ配設していない状況で、警報部４を経由する異常信号を監視部６が無駄に取得することなく、かつ、制御演算部１０が出力する仮想濃度情報によって、警報部４を介した指示計３と監視部６との接続状態を確認でき、円滑に作業を行うことができる。ただし、メンテナンス第二モードであっても、検知部２が指示計３に接続されている場合は、検知モードと同様に、検知対象区域の現実のガス濃度情報の値が表示される。
【００３１】
メンテナンス第一モードは、一定時間が経過すると自動的に検知モードに戻るが、メンテナンス第二モードは、指示計３の電源が一旦落とされるか、特定の操作が行われるまでリセットされない。したがって、施工が長時間に亘って行われても、勝手にモードが切り替えられず、作業が阻害されない。指示計３の電源が落とされ、再度電源が投入されたときには検知モードに切り替わっている。
【００３２】
なお、制御演算部１０は、メンテナンス第二モードであることを計器状態表示部１８に表示する。
【００３３】
〔設定モード〕
設定モードは、入力値調整、濃度情報出力調整、仕様設定、ネットワーク調整等が可能なモードである。即ち、これらの調整や設定が、記憶部１１の計器設定情報の書き換え作業に相当する。通常は検知モードから設定モードにモード変更するが、メンテナンス第一モードから設定モードにモード変更することも可能であって、この場合に上述したワンマンメンテナンスモードにモード変更される。
【００３４】
入力値調整には、入力ゼロ値の粗調整、入力ゼロ値の微調整等の設定項目がある。濃度情報出力調整には、出力ゼロ値の調整、メンテナンス第二モードにおける仮想濃度情報の値の設定、バーグラフに表示可能な濃度情報のフルスケール値の設定等の設定項目がある。仕様設定には、検知部２の種類設定等の設定項目がある。ネットワーク調整には、管理用の計器番号の設定、濃度情報の単位設定等の設定項目がある。入力部１２の操作によって記憶部１１を制御し、設定項目の選択とその設定項目における設定数値の書き換えとが可能である。
【００３５】
設定モードにおいて、制御演算部１０は、設定作業中の項目が何れの設定項目であるかを計器状態表示部１８に表示する。
【００３６】
〔テスト部〕
テスト部１４は、所定値の仮想濃度情報を制御演算部１０に出力させるものである。この仮想濃度情報の値は、補助操作部１６の操作によって大小させられる。具体的には、テストスイッチＴＳＷ（図３（ｂ）参照）がテスト部１４に相当する。
【００３７】
検知モードにおいてテスト部１４を操作すると、検知部２が検知した実際の濃度情報に優先して、仮想濃度情報が、制御演算部１０から警報部４を経由して監視部６に出力され、その値はバーグラフ表示部１７に表示される。仮想濃度情報の値がしきい値を越えていれば、警報部４は警報を発し、補助操作部１６の操作によって仮想濃度情報の値を大小させれば、バーグラフ表示部１７の表示はその変化に追従する。
【００３８】
メンテナンス第一モードにおいてテスト部１４を操作すると、検知モードの場合と同様である。ただし、仮想濃度情報の値がしきい値を超えていても、あるいは、補助操作部１６の操作によって越えても、警報部４は警報を発しない。
【００３９】
メンテナンス第二モードにおいてテスト部１４を操作しても、その値がバーグラフ表示部１７に表示されるだけで、制御演算部１０から警報部４を介して監視部６に出力される濃度情報としては、メンテナンス第二モードにおいて設定されている仮想濃度情報が優先される。即ち、メンテナンス第二モードにおいてテスト部１４を操作した上で、補助操作部１６を操作してテスト部１４の仮想濃度情報の値を大小させることにより、バーグラフ表示部１７の動作の確認が可能である。
【００４０】
補助操作部１６には、図３（ｂ）に示すアジャストスイッチＡＳＷ、ハイスイッチＨＳＷ、ロースイッチＬＳＷが相当する。
【００４１】
３. 指示計の具体的な構成
指示計３は、図９に示すごとく、本体部３０と、本体部３０を収容するケース部２０とを備えている。ケース部２０は箱形状をしており、総合盤５に予め固定されている。図３（ａ）に示すごとく、本体部３０は略直方体形状をしている。図９及び図１０に示すごとく、本体部３０はケース部２０に対して抜き差し可能であって、本体部３０がケース部２０に収容されたとき、本体部３０の前面の前面パネル３１のみがケース部２０から露出する。
【００４２】
前面パネル３１には、図３（ａ）に示すごとく、ネームプレートとしての表示板３４と、バーグラフ表示部１７と、バーグラフの目盛としてのスケール板３５と、計器状態表示部１８としてのメインランプＬ１と、が備えられている。また、図３（ｂ）に示すごとく、前面パネル３１の下部には、補助操作部１６としてのアジャストスイッチＡＳＷ、ハイスイッチＨＳＷ及びロースイッチＬＳＷと、メンテナンスモード切替部１３としてのメンテナンススイッチＭＳＷと、テスト部１４としてのテストスイッチＴＳＷと、が備えられている。これらのスイッチは、主に検知モード、メンテナンス第一モード及びメンテナンス第二モードの際に使用するプッシュ式のスイッチであって、通常はフロントカバー３２によって覆われている。フロントカバー３２は、前面パネル３１の下端付近で軸支され、水平軸周りに回転開閉可能である。なお、テストスイッチＴＳＷは、他のスイッチと異なり、凹入された位置に配設されており、ペン先等のようなものでしか操作できないように構成されている。
【００４３】
図３（ａ）に示すごとく、本体部３０の左側面の下端部分に、後述する設定スイッチＣＳＷの操作方法を図説する操作説明部４７が表示してある。
【００４４】
本体部３０は、図４（ａ）に示すごとく、右側面に計器状態表示部１８としてのサブランプＬ２を備えている。また、指示計３は、図２及び図４（ｂ）に示すごとく、記憶部１１の一部を構成する記憶媒体の一つとして、ＲＯＭ４５を取り外し自在に備えている。ＲＯＭ４５は、既設の指示計との取替え時に計器設定情報等のうち引継ぎが必要な情報を引き継ぐためのものである。ＲＯＭ４５は、本体部３０の右側面のサイドカバー３３を外すことによって本体部３０から取り外すことができる。
【００４５】
図５に示すごとく、本体部３０の下面に、入力部１２及び設定モード切替部１５としての設定スイッチＣＳＷを備えている。設定スイッチＣＳＷは、ダイヤル型のスイッチであり、中立位置に付勢されつつ前後何れの方向にも一定角度だけ回転操作が可能であると共に、中立位置において上方に押し込み操作が可能である。図９に示すごとく、設定スイッチＣＳＷが本体部３０の下面から突出しないように、かつ、設定スイッチＣＳＷを操作しやすいように、本体部３０の下面のうち設定スイッチＣＳＷの周辺を少し窪ませてある。
【００４６】
本体部３０の背面には、図４に示すごとく、検知部２、警報部４、及び監視部６との接続コネクタ４６や、ヒューズホルダ（図番なし）等が配設されている。本体部３０の上面には、不図示のチェックピン用コネクタ等が配設されている。
【００４７】
〔バーグラフ表示部〕
バーグラフ表示部１７は、図６（ｃ）に示すごとく、濃度情報がレベル０からレベル５０を表示するための５１個のセグメントと、最上部に配設され、フルスケールオーバーを表示するための１個のセグメントと、最下部に配設され、濃度情報がレベル０よりも小さいことを表示するための１個のセグメントと、の合計５３個のセグメントを備えている。５３個のセグメントは一直線状に連続して配置されている。
【００４８】
バーグラフランプＢＬは、例えば、緑色と赤色との二つのＬＥＤで構成してある。緑色のＬＥＤと赤色のＬＥＤとの両方が点灯すると、橙色を表示できる。図面は白黒表示であるため、バーグラフを示す図において、黒色が「赤色」を表し、濃灰色が「橙色」を表し、淡灰色が「緑色」を表しているものとする。また、図６（ｃ）において、破線で示したバーグラフランプは、点灯していない状態、即ち、色を表示していない状態を示す。なお、バーグラフの状態を見やすくするため、図６（ｃ）以外の図面では、点灯していない（色を表示していない）バーグラフランプは図示していない。
【００４９】
指示計３における基本のモードは検知モードである。検知モードにおいて、ガス濃度（濃度情報）の変化に応じてバーグラフランプＢＬが三色のうち何れかの色を表示する状態と表示しない状態とに切り替わり、色を表示した状態のバーグラフランプＢＬが連続することによって単一色のバーグラフが構成される。本実施形態では、表示単位を「％ＬＥＬ」としてあり、フルスケールのレベル５０が１００％ＬＥＬを示す。即ち、バーグラフが一レベル伸びる毎にガス濃度は２％ＬＥＬずつ高くなる。例えば、図６（ａ）に示すごとく、レベル０からレベル４までのバーグラフランプＢＬが点灯している場合は、ガス濃度が８％ＬＥＬであることを示す。また、図６（ｂ）の状態はガス濃度５４％ＬＥＬを示し、図６（ｃ）の状態はガス濃度８８％ＬＥＬを示している。
【００５０】
本実施形態においては、ガス濃度４０％ＬＥＬ（レベル２０）とガス濃度８０％ＬＥＬ（レベル４０）とに、上述した第一しきい値と第二しきい値とを設定してある。そして、図６（ａ）に示すごとく、５３個のバーグラフランプＢＬのうちのレベル２０の位置に対応するバーグラフランプＢＬを橙色で表示し、レベル４０の位置に対応するバーグラフランプＢＬを赤色で表示している。
【００５１】
ガス濃度が第一しきい値４０％ＬＥＬ（レベル２０）よりも小さいときは、図６（ａ）に示すごとく、バーグラフを構成するバーグラフランプＢＬは緑色を表示する。即ち、バーグラフは、第一及び第二しきい値を示すバーグラフランプＢＬの表示色（橙色、赤色）とは異なる色（緑色）で表示される。
【００５２】
ガス濃度が第一しきい値４０％ＬＥＬ（レベル２０）以上かつ第二しきい値８０％ＬＥＬ（レベル４０）よりも小さいときは、図６（ｂ）に示すごとく、バーグラフを構成するバーグラフランプＢＬは橙色を表示する。即ち、バーグラフは、第二しきい値を示すバーグラフランプＢＬの表示色（赤色）とは異なる色（橙色）、かつ、バーグラフを構成することとなった第一しきい値を示すバーグラフランプＢＬが表示する色（橙色）と同じ色（橙色）を表示する。
【００５３】
つまり、ガス濃度が第一しきい値４０％ＬＥＬになって、第一しきい値を示すバーグラフランプＢＬがバーグラフの一部に含まれた瞬間、バーグラフの色は、緑色から、第一しきい値を示すバーグラフランプＢＬが表示する橙色に変わる。
【００５４】
その後に警報部４において上述の消音操作がなされて消音操作がなされても、消音操作とは別の所定の警報解除操作がなされるまでは、バーグラフは橙色を保ちながらガス濃度に応じたレベルを表示する。即ち、ガス濃度が第一しきい値４０％ＬＥＬよりも小さくなっても、警報解除操作がなされるまではバーグラフは橙色のままである。警報解除操作がなされると、バーグラフは通常通り緑色を表示する。以下、この設定を「自己保持設定」と称する。
【００５５】
ガス濃度が第二しきい値８０％ＬＥＬ（レベル４０）以上のときは、図６（ｃ）に示すごとく、バーグラフを構成するバーグラフランプＢＬは赤色を表示する。即ち、バーグラフは、バーグラフを構成することとなった第二しきい値を示すバーグラフランプＢＬが表示する色（赤色）と同じ色（赤色）を表示する。
【００５６】
つまり、ガス濃度が第二しきい値８０％ＬＥＬになって、第二しきい値を示すバーグラフランプＢＬがバーグラフの一部に含まれた瞬間、バーグラフの色は、橙色から、第二しきい値を示すバーグラフランプＢＬが表示する赤色に変わる。
【００５７】
その後は、自己保持設定により、ガス濃度が第二しきい値８０％ＬＥＬよりも小さくなっても、警報解除操作がなされるまではバーグラフは赤色のままである。警報解除操作がなされると、バーグラフは通常通り、ガス濃度に応じて橙色または緑色を表示する。
【００５８】
以上の構成であると、遠くからの目視であっても、現在のガス濃度がしきい値に対してどの程度の割合であるか、ガス濃度が何れかのしきい値を越えているか否か、の判断が容易かつ瞬時に行える。また、消音操作された後や、ガス濃度が何れかのしきい値を下回った後でも、自己保持設定によって赤色または橙色が保持されるため、どの指示計で、第一段目の警報及び第二段目の警報の何れの警報がなされたのかを、視覚的に容易に確認できる。
【００５９】
検知モード、メンテナンス第一モード、及び、メンテナンス第二モードの相互切替は、メンテナンススイッチＭＳＷの操作によって行う。
【００６０】
メンテナンス第一モードのとき、バーグラフ表示部１７には、検知モードの場合と同じく検知対象区域の現実のガス濃度情報の値が表示される。メンテナンス第二モードのとき、バーグラフ表示部１７には、第一及び第二しきい値を示すバーグラフランプＢＬ（赤色、橙色）と、最下部のバーグラフランプＢＬ（緑色）と、が表示されるのみである。
【００６１】
メンテナンス第一モードから設定モードにモード変更する場合、即ち、上述したワンマンメンテナンスモードとすると、スパン調整を行うことができる。具体的には、設定スイッチＣＳＷを回転操作し、まずは設定モードに入る。この時、サブランプＬ２のうち後述する第一ランプＬ２ａが点灯する。さらに、設定スイッチＣＳＷを押し込み操作すると、メインランプＬ１のうちの後述するメンテナンス第二モードランプＬ１ｅが点灯し、ワンマンメンテナンスモードに入る。このとき、バーグラフ表示部１７には、赤色のバーグラフによってスパンガス濃度設定予定値が表示される。設定スイッチＣＳＷを回転操作し、スパンガス濃度設定予定値を、検知部２に暴露させる被検知ガスのガス濃度に対する出力値に合わせ、設定スイッチＣＳＷを押し込み操作して決定する。そして、検知部２に被検知ガスを暴露させると、制御演算部１０が検知部２からの出力値を受信し、バーグラフ表示部１７にはその出力値が緑色のバーグラフによって表示される。ただし、その出力値のピーク値に対応するバーグラフランプＢＬのみは橙色を表示する。そのピーク値は記憶部に記憶され、設定スイッチＣＳＷを押し込み操作すると、スパンガス濃度設定予定値と記憶されたピーク値との関係から内部係数が補正され、自動的にスパン調整が行われる。
【００６２】
なお、検知モードのとき、テストスイッチＴＳＷを押し操作すると、仮想のガス濃度情報が出力され、バーグラフ表示部１７はその値を表示する。さらにその状態で、ハイスイッチＨＳＷまたはロースイッチＬＳＷを押し操作することにより、仮想のガス濃度情報の値を変化させることができ、それに伴ってバーグラフも変化する。
【００６３】
メンテナンス第一モードのとき、テストスイッチＴＳＷを押し操作した場合も、バーグラフ表示部１７は検知モードの場合と同じように動作する。
【００６４】
メンテナンス第二モードのとき、テストスイッチＴＳＷを押し操作すると、バーグラフ表示部１７は仮想のガス濃度情報の値を表示する。ただし、その値は出力されない。メンテナンス第二モードにおいて出力されるのは、あくまでも、メンテナンス第二モード用に設定された仮想のガス濃度情報である。
【００６５】
検知モードと設定モードとの相互切替は、設定スイッチＣＳＷの操作によって行う。詳細には、先ず、設定スイッチＣＳＷの回転操作によって設定区分（入力値調整、濃度情報出力調整、仕様設定、ネットワーク調整等）を選択し、押し込み操作により区分を決定する。続いて、設定スイッチＣＳＷの回転操作によって設定項目を選択し、押し込み操作により設定項目を決定する。
【００６６】
設定区分には夫々「１」、「２」、「３」・・・の数値が割り当てられており、その下位の設定項目にも夫々「１」、「２」、「３」・・・の数値が割り当てられており、設定スイッチＣＳＷを手前に回転操作すると数値が小さくなり、後方へ回転操作すると数値が大きくなる。設定項目を決定した後は、再度設定スイッチＣＳＷの回転操作と押し込み操作とによって、その設定項目の数値を増減させて書き換える。
【００６７】
設定スイッチＣＳＷは本体部３０の下面に配設されていて目視しにくいため、図３に示すごとく、本体部３０の左側面の操作説明部４７に、「設定スイッチＣＳＷを手前に回転操作すると数値が大きくなり（ＵＰ）、後方へ回転操作すると数値が小さくなり（ＤＯＷＮ）、押し込み操作すると数値が決定される（ＥＮＴＥＲ）」ことを表示してある。
【００６８】
例えば、設定区分「ネットワーク調整」（数値「５」が割当てられている）の設定項目「管理用の計器番号の設定」（数値「１」が割当てられている）を、「１２５」から「１３７」に変更する場合について説明する。検知モードにおいて、設定スイッチＣＳＷを後方へ回転操作すると、設定モードに切り替わり、バーグラフ表示部１７の表示が図６（ｄ）に示すように切り替わる。バーグラフ表示部１７には、上側から、百の位を示すバーグラフランプＢＬと、十の位を示すバーグラフランプＢＬと、一の位のバーグラフランプＢＬと、が九つのバーグラフランプＢＬを挟んで緑色で表示される。そして、九つのバーグラフランプＢＬは赤色を表示可能で、その点灯数で各位の桁数を示すよう設定してある。これにより、バーグラフランプＢＬは０から９９９までの数字を表現することができる。なお、千の位のバーグラフランプＢＬや、十分の一の位のバーグラフランプＢＬ等を設定して、千以上の数値や、少数の数値等を表示することも可能である。
【００６９】
そして、バーグラフランプＢＬによって表現された数値を確認しながら設定スイッチＣＳＷを操作し、「５」を選択の上、決定する。その後、同様に設定スイッチＣＳＷを操作し、「１」を選択し、押し込み操作で決定する。すると、バーグラフ表示部１７には、現在の「管理用の計器番号」である「１２５」が図６（ｄ）に示すように表示される。そして、設定スイッチＣＳＷの回転操作で、「１２５」を「１３７」まで増加させ、押し込み操作で決定する。
【００７０】
即ち、メンテナンス第一モードとメンテナンス第二モードとテストスイッチＴＳＷとの操作は、前面パネル３１上の操作で済むが、設定モードの操作は、本体部３０をケース部２０から抜き出した状態でなければ操作できない。このように、重要な情報である計器設定情報がシステム管理者以外の者等に容易に書き換えられることを防止している。
【００７１】
〔計器状態表示部〕
計器状態表示部１８は、上述したようにメインランプＬ１とサブランプＬ２とから構成されている。メインランプＬ１は、図３に示すごとく、現在の計器状態を表示するランプであって、指示計３の電源の入り切りを示す電源ランプＬ１ａ、故障等が発生していることを示す故障ランプＬ１ｂ、ガス濃度が第二しきい値を越えたことを示す二段目警報ランプＬ１ｃ、ガス濃度が第一しきい値を越えたことを示す一段目警報ランプＬ１ｄ、点滅状態で現在メンテナンス第一モードであることを示し、かつ、点灯状態で現在メンテナンス第二モードであることを示すメンテナンス第二モードランプＬ１ｅ、現在テストスイッチＴＳＷの操作によって仮想のガス濃度情報が出力されていることを示すテストランプＬ１ｆを備えている。メインランプＬ１は、前面パネル３１の操作による状態と、指示計３の操作に関係なく表示が必要となる状態と、を表示するものであるため、常時ケース部２０から露出される前面パネル３１に配置してある。
【００７２】
サブランプＬ２は、図４に示すごとく、第一ランプＬ２ａ、第二ランプＬ２ｂ、第三ランプＬ２ｃ、第四ランプＬ２ｄ、第五ランプＬ２ｅを備えている。サブランプＬ２は、設定モードにおいて、設定作業中の計器設定情報の設定項目の種別を表示するランプである。例えば、「ネットワーク調整」の「管理用の計器番号の設定」は、故障ランプＬ１ｂ及び第五ランプＬ２ｅの点灯によって表現されるように設定してある。
【００７３】
このように、五つのサブランプＬ２の点灯と、電源ランプＬ１ａ以外の五つのメインランプＬ１の点灯との組み合わせで、少なくとも２５種類の設定項目を表示するよう構成してある。メインランプＬ１は、計器状態を表示するランプと、設定作業中の計器設定情報の項目種別を表示するランプと、を兼ねていることとなる。
【００７４】
〔表示板３４及びスケール板３５の固定構造〕
表示板３４については、対応する検知部２の設置場所が、例えば「Ａｒｅａ１」から「Ａｒｅａ２０」等に変わると、その表示を変更する必要がある。よって、それらの変更に合せて、スケール板３５を取り替え可能に構成してある。また、表示板３４も取り替え可能である。スケール板３５と表示板３４とを本体部３０へ固定する構造について説明する。
【００７５】
図７及び図８に示すごとく、前面パネル３１のうち、表示板３４及びスケール板３５が配設される領域は、背面側に落とし込んで形成してある。前面パネル３１の上部に、左右方向内側向けに突出する左右一対のガイド部３６を形成すると共に、表示板３４の厚み程度の段差部３７を形成してある。図７及び図８（ｂ）に示すごとく、表示板３４は、前面パネル３１の上方から、二つのガイド部３６の背面と前面パネル３１の前面との間に差し込む。表示板３４の下部は、図８（ａ）に示すごとく、段差部３７に当接して保持される。続いて、図７に示すごとく、スケール板３５を前傾姿勢にした状態で、スケール板３５の下部に形成した凸部３５ａを、前面パネル３１のうちスケール板３５が配設される領域の下部に形成した凹部３８に差し込み、差し込んだ部分を支点としてスケール板３５を起立させる。スケール板３５の上部の左右にはガイド部３６の形状に対応した左右一対の切欠部３５ｂが形成してある。よって、スケール板３５は、ガイド部３６と干渉することなく、図８（ａ）及び（ｂ）に示すごとく、スケール板３５の背面は表示板３４の前面と密着する。
【００７６】
上述の状態を維持したまま、図７に示すごとく、留め具３９を前面パネル３１に固定して、表示板３４とスケール板３５とを前面パネル３１に固定する。図８（ａ）に示すごとく、前面パネル３１のうち表示板３４が配設される直上位置に、左右一対の孔部４０を形成してある。留め具３９は、図８（ｂ）に示すごとく、孔部４０に挿入可能な左右一対の爪部３９ａを備えている。爪部３９ａは留め具３９の押し込み操作によって孔部４０に係止すると共に、留め具３９の引っ張り操作によってその係止が外れる。図８（ａ）及び（ｂ）に示すごとく、留め具３９には幅広の溝形状の引掛け部３９ｂが形成してあり、マイナスドライバーや作業者の爪を引掛け部３９ｂに差し込んで引っ張り操作を行うことができる。
【００７７】
留め具３９には、左右方向の全幅に亘って断面四角形状に切り欠いて、図８（ａ）に示すごとく、押え部３９ｃを形成してある。押え部３９ｃの前後方向の長さは、表示板３４の厚みとスケール板３５との厚みとの合計に略等しい。爪部３９ａが孔部４０に係止して留め具３９が前面パネル３１に固定されると、押え部３９ｃが表示板３４とスケール板３５との上端部２１ａと、スケール板３５の前面とを押さえ込む。これにより、表示板３４及びスケール板３５が同時に前面パネル３１に簡単かつ確実に固定される。
【００７８】
なお、図７に表現してあるように、スケール板３５のうち、表示部とバーグラフ表示部１７とメインランプＬ１と重なる部分は透明にしてある。
【００７９】
このように簡単に表示板３４とスケール板３５とを固定できるので、表示板３４及びスケール板３５の交換も容易である。しかも、留め具３９はスケール板３５の上部の一部を覆うだけであるため、スケール板３５のうち目盛を表示する部分を上下方向に広くすることができる。即ち、前面パネル３１においてバーグラフ表示部１７を高さ方向に広く設定することができ、目視しやすい指示計３とすることができる。
【００８０】
〔本体部とケース部との関係〕
上述したように、本体部３０はケース部２０に対して抜き差し可能であって、設定モードにおいて設定スイッチＣＳＷを操作するに際しては、設定スイッチＣＳＷを露出させるべく、少なくとも図１０に示す程度は、本体部３０をケース部２０から抜き出す必要がある。また、本体部３０の背面の接続コネクタ４６には多くの配線が接続されており、かつ、配線には長さの制限があるため、本体部３０をケース部２０から完全に抜き出して設定操作を行うのは手間がかかる。そこで、以下の構成を採用し、本体部３０を設定スイッチＣＳＷの操作が可能な程度にケース部２０から抜き出した状態で、本体部３０をケース部２０に安定させて保持させることを可能にすると共に、本体部３０をケース部２０に対して抜き差しし易くしてある。
【００８１】
図９及び図１０に示すごとく、ケース部２０は箱形状であって、ケース部２０の前面には前方向に開口する開口部２１が形成してある。本体部３０は開口部２１からケース部に対して抜き差し可能である。本体部３０の上面であって前面パネル３１の直後方に、図４及び図１０に示すごとく、本体部３０をケース部２０に完全に収容したときに差し込み方向への付勢力を本体部３０に作用させる板バネ４４を備えている。板バネ４４による差し込み方向への付勢力を受けつつ、図９に示すごとく、前面パネル３１部の下部に設けられたブッシュピン４３を、ケース部２０の前面に穿孔された固定用孔２２に差し込むと、本体部３０はケース部２０に確実に固定される。
【００８２】
図９に示すごとく、本体部３０の上面及び下面に、上側へ突出させた上側当接部４１と下側へ突出させた下側当接部４２とを夫々形成してある。図４及び図５に示すごとく、上側当接部４１及び下側当接部４２は、左右方向に長いリブ形状に形成してある。本体部３０の抜き差し方向において、上側当接部４１は、下側当接部４２よりも差し込み方向側（本体部３０の背面側）に形成してある。
【００８３】
図１１及び図１２を参照しつつ、本体部３０をケース部２０から抜き出す際の手順を示す。図１１（ａ）では、本体部３０は、ケース部２０に完全に収容されている。図１１（ｂ）に示すごとく、本体部３０を抜き出すと、下側当接部４２が開口部２１の下端部２１ｂに内側から当接して係止する。この状態で本体部３０から手を離すと、本体部３０のうち抜き出された部分の自重によって、本体部３０は、ケース部２０と下側当接部４２との当接箇所Ｐを中心として、下方に傾く。「当接箇所Ｐから上側当接部４１の上端までの距離Ｈ２」が「開口部２１の高さＨ１」よりも大きくなるように、上側当接部４１と下側当接部４２との高さ及び位置を設定してある。このため、本体部３０が傾くと、図１1（ｃ）に示すごとく、ケース部２０の上端部２１ａに上側当接部４１が内側から当接して係止する。この結果、設定スイッチＣＳＷを操作できる程度に本体部３０を抜き出した状態を維持できる。
【００８４】
本体部３０をケース部２０から完全に抜き出す場合は、図１２（ｄ）に示すごとく、本体部３０を一旦上方に持ち上げる。すると、開口部２１の上端部２１ａが本体部３０の上面に当接し、本体部３０の持ち上げが制限される。「上端部２１ａと本体部３０との当接箇所Ｑから下側当接部４２の下端までの距離Ｈ３」が「開口部２１の高さＨ１」よりも小さくなるように、上側当接点と下側当接点との高さ及び位置を設定してある。この状態において、図１２（ｅ）に示すごとく、当接箇所Ｑを中心として、本体部３０を上方に回転させると、下側当接部４２を開口部２１からケース部２０の外側へ抜き出すことができる。当然、下側当接部４２の位置設定によって、本体部３０の最後側下端の角部分は開口部２１に接触しない。本体部３０の最後側下端の角部分をケース部２０の外側へ抜き出した後は、図１２（ｆ）に示すごとく、本体部３０を少し前下方に移動させれば、本体部３０をケース部２０から完全に抜き出すことができる。
【００８５】
なお、本体部３０をケース部２０に差し込む際には、上述の手順と逆の手順を行えば良い。
【００８６】
このように、上側当接部４１と下側当接部４２とを抜き差し方向において異なる位置に形成してあるため、上側当接部４１と下側当接部４２とを同位置に形成した場合よりも開口部２１の高さを低く抑えられる。また、本体部３０の抜き差しに際しても何れかの当接部を抜き差ししてから、他方の当接部を抜き差しすれば良いため、作業が行い易い。
【００８７】
〔別実施形態〕
（１）上述の実施形態においては、濃度情報の値がしきい値を越えたとき、バーグラフの表示色がしきい値を示すバーグラフランプＢＬの表示色と同じ色になるが、これに限られず、常時バーグラフの表示色としきい値を示すバーグラフランプＢＬの表示色とが異なるよう構成してあっても良い。
【００８８】
（２）上述の実施形態においては、しきい値は濃度情報の値の上限を表示するものであった。しかし、被検知ガスの種類によっては、しきい値が濃度情報の下限を表示するものであっても良い。この場合は、濃度情報の値がしきい値を超えている場合は、バーグラフとしきい値との表示色が異なり、しきい値を下回るとバーグラフの表示色がしきい値の表示色と同じになるよう設定する。
【００８９】
（３）上述の実施形態では、自己保持設定がなされている例を示したが、これに限られるものではない。例えば、ガス濃度が第二しきい値８０％ＬＥＬよりも小さくなると、バーグラフが橙色を表示し、第一しきい値４０％ＬＥＬよりも小さくなると緑色を表示するよう構成してあっても良い。
【００９０】
（４）上述の実施形態においては、上側当接部４１は突起部として構成してあったが、これに限られるものではない。上側当接部４１は、本体部３０の最後側上端部２１ａであっても良い。また、本体部３０の全長や、ケース部２０の大きさ、ケース部２０の厚みによって、上側当接部４１と下側当接部４２とに対する制約は変わるため、その制約に応じて両当接部の位置、形状を変更すると良い。
【産業上の利用可能性】
【００９１】
本発明は、ガス濃度を表示する指示計以外の指示計にも適用可能である。
【符号の説明】
【００９２】
２      検知部
３      指示計
３４    表示板
３５    スケール板
３９    留め具
３９ａ  爪部
４０    孔部
【図１】
0006021299.tif 000002
【図２】
0006021299.tif 000003
【図３】
0006021299.tif 000004
【図４】
0006021299.tif 000005
【図５】
0006021299.tif 000006
【図６】
0006021299.tif 000007
【図７】
0006021299.tif 000008
【図８】
0006021299.tif 000009
【図９】
0006021299.tif 000010
【図１０】
0006021299.tif 000011
【図１１】
0006021299.tif 000012
【図１２】
0006021299.tif 000013